(57)【要約】    【課題】      メモリ使用量を低減し、かつ、通信端末装置のデータを保存する通信装置へのアクセスを容易にすることができる通信端末装置、通信システム及びファイル管理方法を提供すること。    【解決手段】  通信端末装置１０１は、自機に記憶しているファイルを、所定の場合にネットワークシステム１０２を介してリモート端末装置１０３に送信し、かつそのファイルを削除する。そして、通信端末装置１０１は、リモート端末装置１０３に記憶されたファイルにアクセスするために用いられるショートカットキーを作成して、そのショートカットキーを記憶する。リモート端末装置１０３は、通信端末装置１０１から送信されるファイルを記憶する。また、リモート端末装置１０３は、通信端末装置１０１が作成したショートカットキーを用いてアクセスしてきた時には、そのショートカットキーが対応するファイルを通信端末装置１０１に対して送信する。  【選択図】      図１
2005228194.tif 000002
【特許請求の範囲】
【請求項１】
各種ファイルを記憶する記憶手段と、
所定のファイル条件に基づいて前記記憶手段から送信対象ファイルを判別する制御手段と、
判別された送信対象ファイルを前記記憶手段から読み出し、通信回線を通じて記憶装置へ送信する送信手段と、
前記記憶装置に記憶されたファイルへのアクセスに用いるショートカットキーを作成するショートカットキー作成手段と、
を具備し、前記制御手段は、作成された前記ショートカットキーを前記記憶手段に記憶し、かつ前記ショートカットキーを記憶したファイルを前記記憶手段から削除することを特徴とする通信端末装置。
【請求項２】
前記制御手段は、前記ファイル条件として、一定期間アクセスされていないことに基づいて前記記憶手段から送信対象ファイルを判別することを特徴とする請求項１記載の通信端末装置。
【請求項３】
前記制御手段は、前記ファイル条件として、所定のファイル種別に基づいて前記記憶手段から送信対象ファイルを判別することを特徴とする請求項１記載の通信端末装置。
【請求項４】
前記制御手段は、前記ファイル条件として、ファイルサイズに基づいて前記記憶手段から送信対象ファイルを判別することを特徴とする請求項１記載の通信端末装置。
【請求項５】
前記制御手段は、前記記憶手段のファイルの記憶容量に基づいて、前記送信手段の前記送信対象ファイルの送信を制御することを特徴とする請求項１から４のいずれか一項記載の通信端末装置。
【請求項６】
前記制御手段は、前記ショートカットキーを用いて前記記憶装置にアクセスして該当ファイルを利用した後、当該ファイルを前記記憶手段に保存して前記ショートカットキーを削除するか、又は前記ショートカットキーを前記記憶手段に保存して当該ファイルを削除するかを提示して選択させる選択手段を具備することを特徴とする請求項１から４のいずれか一項記載の通信端末装置。
【請求項７】
請求項１から６のいずれか一項記載の通信端末装置を充電する充電器であって、
前記通信端末装置を充電中に、
前記送信手段から送信対象ファイルを受信する受信手段と、
受信された送信対象ファイルを前記通信回線を通じて前記記憶装置に送信する送信手段と、
を具備することを特徴とする充電器。
【請求項８】
請求項１から６のいずれか一項記載の通信端末装置との間で通信を行い、前記記憶装置を備えるリモート端末装置であって、
前記記憶装置へのアクセスを許可する前記通信端末装置の識別情報を記憶する識別情報記憶手段と、
前記通信端末装置から送信される識別情報と前記識別情報記憶手段に記憶された識別情報とに基づいて、当該通信端末装置の前記記憶装置に対するアクセスを管理するアクセス管理手段と、
を具備することを特徴とするリモート端末装置。
【請求項９】
請求項１から６のいずれか一項記載の通信端末装置による前記記憶装置を備えるリモート端末装置へのアクセスを管理するアクセス管理装置であって、
前記記憶装置へのアクセスを許可する前記通信端末装置の識別情報を記憶する識別情報記憶手段と、
前記通信端末装置から送信される識別情報と前記識別情報記憶手段に記憶された識別情報とに基づいて、当該通信端末装置の前記記憶装置に対するアクセスを管理するアクセス管理手段と、
を具備することを特徴とするアクセス管理装置。
【請求項１０】
請求項１から６のいずれか一項記載の通信端末装置と、
請求項８記載のリモート端末装置と、
を具備することを特徴とする通信システム。
【請求項１１】
所定のファイル条件に基づいて送信対象ファイルを判別するステップと、
判別された送信対象ファイルを読み出し、通信回線を通じて記憶装置へ送信するステップと、
前記記憶装置に記憶されたファイルへのアクセスに用いるショートカットキーを作成し、前記ショートカットキーを記憶し、かつ前記ショートカットキーを記憶したファイルを削除するステップと、
を具備することを特徴とするファイル管理方法。
【発明の詳細な説明】
【技術分野】
【０００１】
本発明は、通信端末装置、通信システム及びファイル管理方法に関する。
【背景技術】
【０００２】
近年、通信端末装置で取り扱うことのできるファイルの種類が増え、様々なコンテンツを通信端末装置でやり取りするようになっている。そして、受け取ったファイルは、通常通信端末装置に保存することが多い。
【０００３】
しかし、特に携帯端末装置においては、そのメモリ容量はさほど大きくなく、様々なファイルによって直ぐにメモリが一杯になってしまう。そのため、ユーザは、メモリにあるファイルを取捨選択して、削除しなければならず、その作業が面倒という不都合がある。また、削除できるファイルがない時にも、いずれかのファイルを削除しなければ、新たなファイルを保存できないという不都合がある。
【０００４】
このような不都合を回避するための従来の通信端末装置が、特許文献１に記載されている。この従来の通信端末装置は、搭載しているデジタルカメラで撮像した画像データファイルを保存サーバへ送信して、自機のメモリ使用量を低減している。
【特許文献１】特開２００３−１３４２５８号公報
【発明の開示】
【発明が解決しようとする課題】
【０００５】
しかしながら、従来の通信端末装置においては、保存サーバに保存されたファイルへアクセスする際の作業が面倒であるという問題がある。
【０００６】
本発明は、かかる点に鑑みてなされたものであり、通信端末装置のメモリ使用量を低減し、かつ、通信端末装置のデータを保存する通信装置へのアクセスを容易にすることができる通信端末装置、通信システム及びファイル管理方法を提供することを目的とする。
【課題を解決するための手段】
【０００７】
本発明の通信端末装置は、各種ファイルを記憶する記憶手段と、所定のファイル条件に基づいて前記記憶手段から送信対象ファイルを判別する制御手段と、判別された送信対象ファイルを前記記憶手段から読み出し、通信回線を通じて記憶装置へ送信する送信手段と、前記記憶装置に記憶されたファイルへのアクセスに用いるショートカットキーを作成するショートカットキー作成手段と、を具備し、前記制御手段は、作成された前記ショートカットキーを前記記憶手段に記憶し、かつ前記ショートカットキーを記憶したファイルを前記記憶手段から削除する構成を採る。
【０００８】
この構成によれば、通信端末装置が、所定のファイル条件に合致するファイルを記憶装置に通信回線を通じて送信することにより記憶させ、さらに、記憶装置に記憶させたそのファイルへのアクセスに用いるショートカットキーを作成して記憶手段に記憶するとともに、ショートカットキーを作成したファイルを記憶手段から削除するので、メモリ使用量を低減し、かつ、データを保存する記憶装置へのアクセスを容易にすることができる。
【０００９】
本発明の通信端末装置は、上記構成において、前記制御手段は、前記ファイル条件として、一定期間アクセスされていないことに基づいて前記記憶手段から送信対象ファイルを判別する構成を採る。
【００１０】
この構成によれば、一定期間アクセスされていないファイルを記憶装置へ自動的に送信して保存するので、通信端末装置の記憶手段のメモリ使用量を減らすことができるとともに、ユーザが記憶装置にファイルを送信する手間を省略することができる。また、頻繁にアクセスするファイルは通信端末装置の記憶手段に保存しておき、そうでないファイルについては、ショートカットキーのみを記憶して、ファイルは記憶装置に保存しておくことができるので、通信回線を使う頻度を低減することができる。
【００１１】
本発明の通信端末装置は、上記構成おいて、前記制御手段は、前記ファイル条件として、所定のファイル種別に基づいて前記記憶手段から送信対象ファイルを判別する構成を採る。
【００１２】
この構成によれば、所定のファイル種別に合致するファイルを記憶装置へ自動的に送信して保存するので、そのファイル種別の選択によっては通信端末装置の記憶手段のメモリ使用量を大きく減らすことができるとともに、ユーザが記憶装置にファイルを送信する手間を省略することができる。
【００１３】
本発明の通信端末装置は、上記構成において、前記制御手段は、前記ファイル条件として、ファイルサイズに基づいて前記記憶手段から送信対象ファイルを判別する構成を採る。
【００１４】
この構成によれば、所定のファイルサイズに基づいてファイルを記憶装置へ自動的に送信して保存するので、例えば、一定以上のサイズを持つファイルを記憶装置へ自動的に送信して保存するようにした場合には、通信端末装置の記憶手段のメモリ使用量を減らすことができるとともに、ユーザが記憶装置にファイルを送信する手間を省略することができる。また、一定以下のサイズを持つファイルを記憶装置へ自動的に送信して保存するようにした場合には、通信端末装置にサイズの大きいファイルが記憶されているので、これらのサイズが大きいファイルを呼び出す時間を短縮することができる。
【００１５】
本発明の通信端末装置は、上記構成において、前記制御手段は、前記記憶手段のファイルの記憶容量に基づいて、前記送信手段の前記送信対象ファイルの送信を制御する構成を採る。
【００１６】
この構成によれば、制御手段は、記憶手段のファイルの記憶容量に基づいて、送信対象ファイルの送信を制御するので、例えば、記憶手段の記憶容量に余裕がある時には送信対象ファイルの送信を行わないことができ、その結果、通信回線を使う頻度を低減することができる。
【００１７】
本発明の通信端末装置は、上記構成において、前記制御手段は、前記ショートカットキーを用いて前記記憶装置にアクセスして該当ファイルを利用した後、当該ファイルを前記記憶手段に保存して前記ショートカットキーを削除するか、又は前記ショートカットキーを前記記憶手段に保存して当該ファイルを削除するかを選択させる選択手段を具備する構成を採る。
【００１８】
この構成によれば、制御手段は、ショートカットキーを用いて記憶装置にアクセスして該当ファイルを利用した後、当該ファイルを前記記憶手段に保存して前記ショートカットキーを削除するか、又は前記ショートカットキーを前記記憶手段に保存して当該ファイルを削除するかを選択させる選択手段を具備するので、所定のファイル条件に応じて自由度の高いファイル管理を実現することができる。
【００１９】
本発明の充電器は、上記通信端末装置を充電する充電器であって、前記通信端末装置を充電中に、前記送信手段から送信対象ファイルを受信する受信手段と、受信された送信対象ファイルを前記通信回線を通じて前記記憶装置に送信する送信手段と、を具備する構成を採る。
【００２０】
この構成によれば、充電器が、通信端末装置の充電中に、通信端末装置の送信手段から送信対象ファイルを受信し、その送信対象ファイルを記憶装置に通信回線を通じて送信するので、通信端末装置が使用されていない空き時間にファイル送信を行うことが可能である。
【００２１】
本発明のリモート端末装置は、上記通信端末装置との間で通信を行い、前記記憶装置を備えるリモート端末装置であって、前記記憶装置へのアクセスを許可する前記通信端末装置の識別情報を記憶する識別情報記憶手段と、前記通信端末装置から送信される識別情報と前記識別情報記憶手段に記憶された識別情報とに基づいて、当該通信端末装置の前記記憶装置に対するアクセスを管理するアクセス管理手段と、を具備する構成を採る。
【００２２】
この構成によれば、アクセス管理手段が、記憶装置へのアクセスが許可されている通信端末装置に対してのみ、リモート端末装置へのアクセスを許可するので、ファイルの不正使用を防止して、リモート端末装置におけるセキュリティを確保することができる。
【００２３】
本発明のアクセス管理装置は、上記通信端末装置による前記記憶装置を備えるリモート端末装置へのアクセスを管理するアクセス管理装置であって、前記記憶装置へのアクセスを許可する前記通信端末装置の識別情報を記憶する識別情報記憶手段と、前記通信端末装置から送信される識別情報と前記識別情報記憶手段に記憶された識別情報とに基づいて、当該通信端末装置の前記記憶装置に対するアクセスを管理するアクセス管理手段と、を具備する構成を採る。
【００２４】
この構成によれば、アクセス管理装置のアクセス管理手段が、リモート端末装置が備える記憶装置へのアクセスが許可されている通信端末装置に対してのみ、リモート端末装置へのアクセスを許可するので、ファイルの不正使用を防止して、リモート端末装置におけるセキュリティを確保することができる。
【００２５】
本発明の通信システムは、上記通信端末装置と、上記リモート端末装置と、を具備する構成を採る。
【００２６】
この構成によれば、通信端末装置が、所定のファイル条件に合致するファイルをリモート端末装置の記憶装置に通信回線を通じて送信することにより記憶させ、さらに、記憶装置に記憶させたそのファイルへのアクセスに用いるショートカットキーを作成して記憶手段に記憶しておくので、通信端末装置のメモリ使用量を低減し、かつ、データを保存するリモート端末装置へのアクセスを容易にすることができる。
【００２７】
本発明のファイル管理方法は、所定のファイル条件に基づいて送信対象ファイルを判別するステップと、判別された送信対象ファイルを読み出し、通信回線を通じて記憶装置へ送信するステップと、前記記憶装置に記憶されたファイルへのアクセスに用いるショートカットキーを作成し、前記ショートカットキーを記憶し、かつ前記ショートカットキーを記憶したファイルを削除するステップと、を具備するようにした。
【００２８】
この方法によれば、所定のファイル条件に合致するファイルを記憶装置に通信回線を通じて送信することにより記憶させ、さらに、ショートカットキー記憶ステップにおいて記憶装置に記憶させたそのファイルへのアクセスに用いるショートカットキーを作成して記憶するとともに、ショートカットキーを作成したファイルを記憶手段から削除するので、メモリ使用量を低減し、かつ、データを保存する記憶装置へのアクセスを容易にすることができる。
【発明の効果】
【００２９】
本発明によれば、メモリ使用量を低減し、かつ、データを保存する通信装置へのアクセスを容易にすることができる通信端末装置、通信システム及びファイル管理方法を提供することができる。
【発明を実施するための最良の形態】
【００３０】
本発明の骨子は、通信端末装置が自機にあるファイルを保存するための通信装置に送信して保存し、かつ、そのファイルへアクセスするためのショートカットを作成して記憶することである。
【００３１】
以下、本発明の一実施の形態について図面を参照して詳細に説明する。
【００３２】
まず、本実施の形態に係る通信システム１００の構成について、図１を参照して説明する。
【００３３】
図１は、本実施の形態に係る通信システムの全体構成を示す図である。
【００３４】
通信システム１００は、通信端末装置１０１と、ネットワークシステム１０２と、リモート端末装置１０３と、を具備する。
【００３５】
通信端末装置１０１は、自機に記憶しているファイルを、所定の場合にネットワークシステム１０２を介してリモート端末装置１０３に送信する。そして、通信端末装置１０１は、リモート端末装置１０３に記憶されたファイルにアクセスするために用いられるショートカットキーを作成して、そのショートカットキーを記憶する。
【００３６】
なお、上記通信端末装置１０１が記憶しているファイルをリモート端末装置１０３に送信する「所定の場合」のバリエーションについては、後述する。
【００３７】
リモート端末装置１０３は、通信端末装置１０１から送信されるファイルを記憶する。また、リモート端末装置１０３は、通信端末装置１０１が作成したショートカットキーを用いてアクセスしてきた時には、そのショートカットキーが対応するファイルを通信端末装置１０１に対して送信する。
【００３８】
次に、通信端末装置１０１の構成ついて、図２を参照して説明する。
【００３９】
図２は、通信端末装置１０１の構成を示したブロック図である。
【００４０】
通信端末装置１０１は、操作部１１０と、表示部１１１と、タイマ部１１２と、ショートカットキー作成部１１３と、記憶部１１４と、制御部１１５と、送信部１１６と、受信部１１７と、を具備する。
【００４１】
操作部１１０は、テンキーなどにより構成され、ユーザが通信端末装置１０１の操作を行うためのものであり、ユーザが行う操作に対応した信号を制御部１１５に与える。
【００４２】
表示部１１１は、液晶表示パネルなどにより構成されており、制御部１１５から受け取る信号に基づき、各種の情報を表示して、ユーザに提示する。
【００４３】
タイマ部１１２は、現在時刻を制御部１１５に与える。
【００４４】
ショートカットキー作成部１１３は、制御部１１５からショートカットキーを作成する命令信号に応答して、ショートカットキーを作成し、制御部１１５に与える。
【００４５】
記憶部１１４は、制御部１１５から受け取るショートカットキー及びファイルなどを記憶する。また、記憶部１１４は、ファイルごとに、最後にアクセスされた時間を示す最終アクセス時間を記憶する。
【００４６】
制御部１１５は、記憶部１１４に記憶されたファイルを「所定の場合」に送信部１１６を介してリモート端末装置１０３へ送信する。その時、制御部１１５は、ショートカットキー作成部１１３に対してショートカットキー作成の命令信号を与える。そして、制御部１１５は、「所定の場合」のバリエーションに応じた処理を行う。この処理の詳細については、後述のバリエーションの記載において説明する。
【００４７】
送信部１１６は、制御部１１５から受け取る各種信号をネットワークシステム１０２を通じてリモート端末装置１０３に対して送信する。
【００４８】
受信部１１７は、リモート端末装置１０３からネットワークシステム１０２を通じて受信する各種信号を制御部１１５に与える。
【００４９】
次に、通信端末装置１０１が記憶しているファイルをリモート端末装置１０３に送信する「所定の場合」のバリエーションについて、図１から図５を参照して説明する。
【００５０】
まず、所定の時間以上アクセスのないファイルについて送信部１１６が送信する場合について、図３を参照して説明する。
【００５１】
図３は、所定の時間以上アクセスのないファイルについて送信する場合における通信端末装置１０１の動作を示したフロー図である。
【００５２】
制御部１１５は、記憶部１１４に記憶されたファイルの最終アクセス時刻を取得する（ＳＴ３０１）。制御部１１５は、タイマ部１１２から現在時刻を取得し、記憶部１１４から取得した最終アクセス時刻との差である非アクセス時間を計算し、予め定められたしきい値と比較する（ＳＴ３０２）。
【００５３】
比較の結果、非アクセス時間がしきい値を超えている場合（ＳＴ３０２：ＹＥＳ）には、制御部１１５は、一定時間以上アクセスされていないそのファイルをコピーし、送信部１１６からネットワークシステム１０２を介してリモート端末装置１０３へ送信して、リモート端末装置１０３に保存させる（ＳＴ３０３）。そして、制御部１１５は、ショートカットキー作成部１１３に対して、送信したファイルにアクセスするためのショートカットキー作成の命令信号を与えて、シュートカットキー作成部１１３は、その命令信号に応答して、ショートカットキー（リモート端末装置１０３のアドレス及び当該ファイルの識別情報（ファイル名）などを含むＵＲＬ）を作成する（ＳＴ３０４）。制御部１１５は、ショートカットキーを送信部１１６からネットワークシステム１０２を介してリモート端末装置１０３に送信し、記憶部１１４に残っている元のファイルを削除する（ＳＴ３０５）。
【００５４】
ここで、後述するリモート端末装置１０３の制御部１３２は、通信端末装置１０１の制御部１１５が送信部１１６からネットワークシステム１０２を介して送信したショートカットキーに含まれるディレクトリ情報に基づいて、送信されたファイルを記憶部１３１に記憶する。このようにすることで、リモート端末装置１０３におけるファイルの管理状況を通信端末装置１００側においても管理することができ、ユーザはショートカットキーを利用して、リモート端末装置１０３に記憶され、かつ、そのショートカットキーに対応するファイルに直接アクセスすることができる。
【００５５】
なお、リモート端末装置１０３におけるファイルの管理状況を通信端末装置１００側において管理するために、通信端末装置１０１の制御部１１５が送信部１１６からネットワークシステム１０２を介して送信したファイルに関するリモート端末装置１０３におけるディレクトリ情報を、リモート端末装置１０３の制御部１３２が、通信端末装置１０１に対して送信して、このディレクトリ情報を基にショートカットキー作成部１１３がショートカットキーを作成する構成としてもよい。
【００５６】
一方、比較の結果、非アクセス時間がしきい値を超えていない場合（ＳＴ３０２：ＮＯ）には、制御部１１５は、そのファイルに対して何ら処理を行わない。
【００５７】
なお、以上の処理は、記憶部１１４に記憶されたファイルごとに行われる。
【００５８】
このように、このバリエーションにおいては、制御部１１５が一定時間以上アクセスされていないファイルをリモート端末装置１０３へ自動的に送信して保存するので、通信端末装置１０１の記憶部１１４のメモリ使用量を減らすことができ、ユーザがリモート端末装置１０３にファイルを送信する手間を省略することができる。また、このバリエーションにおいては、頻繁にアクセスするファイルは通信端末装置１０１に保存しておき、そうでないファイルについては、ショートカットキーのみを通信端末装置１０１で記憶して、ファイルはリモート端末装置１０３に保存しておくことができるので、ファイルのダウンロードの頻度を低減して、通信回線を使う頻度を低減することができる。また、ショートカットキーを利用してリモート端末装置１０３に記憶されたファイルへアクセスすることで、通信端末装置１０１にそのファイルを記憶している場合と同程度の作業でファイルにアクセスすることができる。
【００５９】
次に、所定の種類のファイルについて送信部１１６が送信する場合について図４を参照して説明する。
【００６０】
図４は所定の種類のファイルについて送信部１１６が送信する場合における通信端末装置１０１の動作を示したフロー図である。
【００６１】
制御部１１５は、記憶部１１４に記憶されたファイルの種類を取得する（ＳＴ４０１）。制御部１１５は、記憶部１１４から取得したファイルの種類と、予め決められたリモート端末装置１０３に送信すべきファイルの種類とを比較する（ＳＴ４０２）。
【００６２】
比較の結果、両ファイルの種類が一致する時（ＳＴ４０２：ＹＥＳ）には、制御部１１５は、そのファイルをコピーし、送信部１１６からネットワークシステム１０２を介してリモート端末装置１０３へ送信して、リモート端末装置１０３に保存させる（ＳＴ４０３）。そして、制御部１１５は、ショートカットキー作成部１１３に対して、送信したファイルにアクセするためのショートカットキー作成の命令信号を与えて、シュートカットキー作成部１１３は、その命令信号に応答して、ショートカットキーを作成する（ＳＴ４０４）。制御部１１５は、ショートカットキーを送信部１１６からネットワークシステム１０２を介してリモート端末装置１０３に送信し、記憶部１１４に残っている元のファイルを削除する（ＳＴ４０５）。
【００６３】
一方、比較の結果、両ファイルの種類が異なる場合（ＳＴ４０２：ＮＯ）には、制御部１１５は、そのファイルに対して何ら処理を行わない。
【００６４】
なお、以上の処理は、記憶部１１４に記憶されたファイルごとに行われる。
【００６５】
このように、このバリエーションにおいては、制御部１１５が予め決められた種類のファイルをリモート端末装置１０３へ自動的に送信して保存するので、例えば、画像などのファイルサイズが大きくなりがちなファイル種類を送信するように設定しておけば、通信端末装置１０１の記憶部１１４のメモリ使用量を減らすことができ、ユーザがリモート端末装置１０３にファイルを送信する手間を省略することができる。また、ショートカットキーを利用してリモート端末装置１０３に記憶されたファイルへアクセスすることで、通信端末装置１０１にそのファイルを記憶している場合と同程度の作業でファイルにアクセスすることができる。
【００６６】
次に、ファイルサイズに応じて、ファイルを送信部１１６が送信する場合について、図５を参照して説明する。
【００６７】
図５は、ファイルサイズに応じて、ファイルを送信部１１６が送信する場合における通信端末装置１０１の動作を示したフロー図である。
【００６８】
制御部１１５は、記憶部１１４に記憶されたファイルのサイズを取得する（ＳＴ５０１）。制御部１１５は、記憶部１１４から取得したファイルのサイズと、予め決められたリモート端末装置１０３に送信すべきファイルのサイズのしきい値とを比較する（ＳＴ５０２）。
【００６９】
比較の結果、記憶部１１４から取得したファイルのサイズがしきい値を超えている場合（ＳＴ５０２：ＹＥＳ）には、制御部１１５は、そのファイルをコピーし、送信部１１６からネットワークシステム１０２を介してリモート端末装置１０３へ送信して、リモート端末装置１０３に保存させる（ＳＴ５０３）。そして、制御部１１５は、ショートカットキー作成部１１３に対して、送信したファイルにアクセするためのショートカットキー作成の命令信号を与えて、シュートカットキー作成部１１３は、その命令信号に応答して、ショートカットキーを作成する（ＳＴ５０４）。制御部１１５は、ショートカットキーを送信部１１６からネットワークシステム１０２を介してリモート端末装置１０３に送信し、記憶部１１４に残っている元のファイルを削除する（ＳＴ５０５）。
【００７０】
比較の結果、記憶部１１４から取得したファイルのサイズがしきい値以下である場合（ＳＴ５０２：ＮＯ）には、制御部１１５は、そのファイルに対して何ら処理を行わない。
【００７１】
なお、以上の処理は、記憶部１１４に記憶されたファイルごとに行われる。
【００７２】
このように、このバリエーションにおいては、記憶部１１４に記憶されたファイルで一定以上のサイズを持つものをリモート端末装置１０３へ自動的に送信して保存するので、通信端末装置１０１の記憶部１１４のメモリ使用量を減らすことができ、ユーザがリモート端末装置１０３にファイルを送信する手間を省略することができる。また、ショートカットキーを利用してリモート端末装置１０３に記憶されたファイルへアクセスすることで、通信端末装置１０１にそのファイルを記憶している場合と同程度の作業でファイルにアクセスすることができる。
【００７３】
また、このバリエーションについての上記説明では、記憶部１１４から取得したファイルのサイズがしきい値を超えている場合に、制御部１１５がそのファイルをコピーし送信部１１６を介してリモート端末装置１０３へ送信するとしたが、逆にファイルのサイズがしきい値より小さい場合に、制御部１１５がそのファイルをコピーし送信部１１６を介してリモート端末装置１０３へ送信するとする設定としてもよい。このような設定とした場合には、通信端末装置１０１にサイズの大きいファイルが記憶されているので、これらのサイズが大きいファイルを呼び出す時間を短縮することができる。
【００７４】
以上、図３から図５を参照して説明した３つのケースにおいて、図３から図５に示したフローの前段に、制御部１１５が、記憶部１１４に蓄積されているデータ量を取得するステップと、記憶部１１４に蓄積されているデータ量と、予め定められたしきい値とを比較するステップと、を入れることも可能である。そして、比較の結果、記憶部１１４に蓄積されているデータ量がしきい値を超えている場合には、図３から図５に示した処理に移り、記憶部１１４に蓄積されているデータ量がしきい値以下である場合には、制御部１１５は、何ら処理を施さないようにすることができる。このようなステップを追加することで、通信端末装置１０１の記憶部１１４のメモリに余裕がある時にはファイルをリモート端末装置１０３に送信する必要がないので、無駄な通信回線の利用を削減することができる。
【００７５】
なお、通信端末装置１０１がテレビ放送を受信できる場合には、受信したテレビ放送のデータをリモート端末装置１０３に送信して保存しておくことも可能である。このとき、通信端末装置１０１は、このリモート端末装置１０３に保存されたテレビ放送のデータにアクセスするためのショートカットキーを作成して記憶しておくことで、ユーザはそのデータにいつでもアクセスすることができる。
【００７６】
また、上述した「所定の場合」に行うリモート端末装置１０３へのファイルの送信は、電池の消費が多いので、通信端末装置１０１が充電中の時にのみ送信を行う態様とすることが可能である。
【００７７】
次に、作成したショートカットキーを用いて、アクセスする場合のバリエーションについて、図６から図８を参照して説明する。
【００７８】
まず、ユーザがショートカットキーを用いて、リモート端末装置１０３に保存されているファイルをダウンロードして閲覧した後に、通信端末装置１０１がそのファイルを記憶し、かつ、ショートカットキーを消去する場合について、図６を参照して説明する。
【００７９】
図６は、ファイルをダウンロードして閲覧した後に、そのファイルを記憶し、かつ、ショートカットキーを消去する場合における通信端末装置１０１の動作を示したフロー図である。
【００８０】
まず、ユーザが操作部１１０を用いて、表示部１１１に表示された各ファイルのショートカットキーの中からアクセスしたいファイルのショートカットキーを選択する（ＳＴ６０１）。選択されたショートカットキーを制御部１１５が受け取り、送信部１１６からネットワークシステム１０２を介してリモート端末装置１０３へ送信し、このショートカットキーに応答してリモート端末装置１０３から送信されるファイルを制御部１１５が受信部１１７を介して受け取る。そして、制御部１１５は、受け取ったファイルの内容を記憶部１１４に記憶するとともに、表示部１１１に表示し、ユーザに閲覧させる（ＳＴ６０２）。
【００８１】
ユーザは、ファイルの閲覧が終了すると、操作部１１０を用いて閲覧終了の操作を行う（ＳＴ６０３）。このユーザの操作を受けて、制御部１１５は、閲覧したファイルに対応して記憶部１１４に記憶されているショートカットキーを削除する（ＳＴ６０４）。
【００８２】
なお、この場合、ダウンロードされて記憶部１１４に記憶されたファイルは、上述した図３〜図５の各バリエーションにおいて、リモート端末装置１０３へ送信する対象として扱われることになる。
【００８３】
次に、ユーザがショートカットキーを用いて、リモート端末装置１０３に保存されているファイルをダウンロードして閲覧した後に、通信端末装置１０１がそのファイルに対応するショートカットキーについては記憶したまま、そのファイルを消去する場合について、図７を参照して説明する。
【００８４】
図７は、ファイルをダウンロードして閲覧した後に、ショートカットキーについては記憶したまま、ファイルを消去する場合における通信端末装置１０１の動作を示したフロー図である。なお、図６と同様のステップには同一のステップ番号を付して、その説明を省略する。
【００８５】
ユーザがリモート端末装置１０３からダウンロードしてきたファイルの閲覧が終了し、操作部１１０を用いて終了の操作を行うと、この操作を受けて、制御部１１５は、記憶部１１４に記憶されている閲覧したそのファイルを削除する（ＳＴ７０１）。
【００８６】
このようにすることで、通信端末装置１０１の記憶部１１４のメモリ使用量を減らすことができる。
【００８７】
次に、ユーザがショートカットキーを用いて、リモート端末装置１０３に保存されているファイルをダウンロードして閲覧した後に、通信端末装置１０１がそのファイルを記憶し、かつショートカットキーを消去するか、又は、通信端末装置１０１がそのファイルに対応するショートカットキーについては記憶したまま、そのファイルを消去するかのどちらか一方をユーザに選択させる場合について、図８を参照して説明する。
【００８８】
図８は、ファイルをダウンロードして閲覧した後に、ユーザに対して次の処理を選択させる場合における通信端末装置１０１の動作を示したフロー図である。なお、図６と同様のステップには同一のステップ番号を付して、その説明を省略する。
【００８９】
ユーザがリモート端末装置１０３からダウンロードしてきたファイルの閲覧が終了し、操作部１１０を用いて終了の操作を行うと、この操作を受けて、制御部１１５は、そのファイルを記憶し、かつショートカットキーを消去するか、又は、通信端末装置１０１がそのファイルに対応するショートカットキーについては記憶したまま、そのファイルを消去するかのどちらか一方をユーザに選択させることを促す表示を表示部１１１にする。そして、制御部１１５は、ユーザが操作部１１０により、通信端末装置１０１がそのファイルに対応するショートカットキーについては記憶したまま、そのファイルを消去することを選択したかを判断する（ＳＴ８０１）。
【００９０】
ユーザがファイルに対応するショートカットキーについては記憶したまま、そのファイルを消去することを選択した場合（ＳＴ８０１：ＹＥＳ）には、制御部１１５は、記憶部１１４に記憶されている閲覧したそのファイルを削除する（ＳＴ８０２）。
【００９１】
ユーザが、ファイルを記憶し、かつショートカットキーを消去することを選択した場合（ＳＴ８０１：ＮＯ）には、閲覧したファイルに対応する記憶部１１４に記憶されているショートカットキーを削除する（ＳＴ８０３）。
【００９２】
このようにユーザに対して閲覧したファイルを削除するか、ショートカットキーを削除するかを選択させることで、ユーザの利便性を向上させることができる。
【００９３】
次に、リモート端末装置１０３について説明する。
【００９４】
図９は、リモート端末装置１０３の構成を示したブロック図である。
【００９５】
リモート端末装置１０３は、記憶部１３１と、制御部１３２と、送信部１３３と、受信部１３４とを備える。
【００９６】
記憶部１３１は、リモート端末装置１０３へのアクセスが許されている通信端末装置１０１の識別情報（電話番号など）を記憶している。また、記憶部１３１は、通信端末装置１０１から送信されたファイルとショートカットキーをその通信端末装置１０１の識別情報に対応づけたフォルダに記憶している。
【００９７】
制御部１３２は、リモート端末装置１０３全体の制御を行うとともに、アクセスしてきた通信端末装置１０１の識別情報と、記憶部１３１に記憶されたアクセスが許されている通信端末装置１０１の識別情報とを比較して、一致する場合に、その通信端末装置１０１のアクセスを許可する。
【００９８】
送信部１３３は、制御部１３２から受け取る各種信号を、ネットワークシステム１０２を通じて通信端末装置１０１へ送信する。
【００９９】
受信部１３４は、通信端末装置１０１からネットワークシステム１０２を通じて受信する各種信号を制御部１３２へ与える。
【０１００】
次に、リモート端末装置１０３のセキュリティ動作について説明する。ここでは、特に、アクセスしてくる通信端末装置１０１が携帯電話機である場合について、図１０を参照して説明する。
【０１０１】
制御部１３２は、アクセスしてきた通信端末装置１０１が送信してくる信号に含まれるその通信端末装置１０１を識別するための信号（ここでは、携帯電話機の携帯電話番号とするが、通信端末装置１０１に対応して各々を識別できるものであればよい。）を、受信部１３４を介して取得する（ＳＴ１００１）。制御部１３２は、取得した携帯電話番号と、記憶部１３１に予め記憶されているアクセスを許可する携帯電話機の携帯電話番号と、を比較する（ＳＴ１００２）。
【０１０２】
比較の結果、取得した携帯電話番号に一致する番号が記憶部１３１に記憶されている場合（ＳＴ１００２：ＹＥＳ）には、制御部１３２は、その携帯電話番号に対応づけて記憶部１３１に記憶されているフォルダを開放し（ＳＴ１００３）、アクセスを許可する。
【０１０３】
そして、制御部１３２は、通信端末装置１０１からファイルのショートカットキーを含む送信要求コマンドを受け付け（ＳＴ１００４）、そのコマンドに対応したコマンド処理として、該当するファイルの送信処理を実行する（ＳＴ１００５）。
【０１０４】
比較の結果、取得した携帯電話番号に一致する番号が記憶部１３１に記憶されていない場合（ＳＴ１００２：ＮＯ）には、制御部１３２は、その通信端末装置１０１のアクセスを受け付けず、処理を終了する。
【０１０５】
このように、リモート端末装置１０３は、予めアクセスを許されている通信端末装置１０１のみにアクセスを許可するので、リモート端末装置１０３に記憶されているファイルに対するセキュリティを確保することができる。
【０１０６】
なお、ここでは、アクセスしてきた携帯電話番号に対応づけて記憶部１３１に記憶されているフォルダのみの開放をするようにした。しかし、リモート端末装置１０３がユーザ個人の端末装置であるような場合には、取得した携帯電話番号に一致する番号が記憶部１３１に記憶されている時に、制御部１３２が、通信端末装置１０１からファイルのショートカットキーを含む送信要求コマンドを受け付け、そのコマンドに対応したコマンド処理として、該当するファイルの送信処理を実行するようにしてもよい。このようにしても、リモート端末装置１０３に記憶されているファイルに対するセキュリティを確保することができる。
【０１０７】
また、上記の説明では、制御部１３２にアクセス許可機能を持たせたが、これに限られず、他の独立した装置（以下、アクセス許可装置という。）にリモート端末装置１０３に対するアクセス許可機能を持たせてもよい。この場合、まず通信端末装置１０１は、アクセス許可装置にアクセスする。そして、アクセス許可装置は、アクセスしてきた通信端末装置１０１がリモート端末装置１０３へのアクセスを許されているものである時に初めてリモート端末装置１０３へのアクセスを許可する。
【０１０８】
次に、通信端末装置１０１が、その充電器１０４からネットワークシステム１０２を介してリモート端末装置１０３へ情報を送信する場合における充電器１０４の構成について、図１１を参照して説明する。
【０１０９】
図１１は、充電器１０４の構成を示すブロック図である。
【０１１０】
充電器１０４は、受信部１４１と、制御部１４２と、送信部１４３と、電力供給部１４４と、を備える。
【０１１１】
受信部１４１は、通信端末装置１０１の送信部１１６から各種の情報を受信して、制御部１４２へ与える。
【０１１２】
制御部１４２は、受信部１４１から受け取る各種情報を送信部１４３からネットワークシステム１０２を介してリモート端末装置１０３へ送信する。また、制御部１４２は、電源からの電流を受け取り、電力供給部１４４へ与える。
【０１１３】
電力供給部１４４は、制御部１４２から受け取る電流を通信端末装置１０１のバッテリ（図示していない。）に供給して充電する。
【０１１４】
このように、通信端末装置１０１が充電器１０４を介してリモート端末装置１０３への情報の送信を行うことで、通信端末装置１０１の充電中、すなわち電流が確保されている安定的な状態での通信が可能となる。また、送信部１４３が有線によりネットワークシステム１０２を介してリモート端末装置１０３へ情報を送信する場合には、通信端末装置１０１が無線でファイルを送信する時よりも、回線使用料を安く済ませることができる。
【産業上の利用可能性】
【０１１５】
本発明は、メモリ使用量を低減し、かつ、データを保存する通信装置へのアクセスを容易にすることができる通信端末装置、通信システム及びファイル管理方法として有用である。
【図面の簡単な説明】
【０１１６】
【図１】本実施の形態に係る通信システムの全体構成を示す図
【図２】図１の通信端末装置の構成を示したブロック図
【図３】所定の時間以上アクセスのないファイルを送信する場合における通信端末装置の動作を示したフロー図
【図４】所定の種類のファイルを送信する場合における通信端末装置の動作を示したフロー図
【図５】ファイルサイズに応じてファイルを送信する場合における通信端末装置の動作を示したフロー図
【図６】ダウンロードしたファイルのショートカットキーを消去する場合における通信端末装置の動作を示したフロー図
【図７】ダウンロードしたファイルを消去する場合における通信端末装置の動作を示したフロー図
【図８】ダウンロードしたファイルの次の処理を選択させる場合における通信端末装置の動作を示したフロー図
【図９】図１のリモート端末装置の構成を示したブロック図
【図１０】リモート端末装置のセキュリティ動作について説明するためのフロー図
【図１１】充電器の構成を示したブロック図
【符号の説明】
【０１１７】
１００  通信システム
１０１  通信端末装置
１０２  ネットワークシステム
１０３  リモート端末装置
１１０  操作部
１１１  表示部
１１２  タイマ部
１１３  ショートカットキー作成部
１１４、１３１  記憶部
１１５、１３２  制御部
１１６、１３３  送信部
１１７、１３４  受信部
【図１】
2005228194.tif 000003
【図２】
2005228194.tif 000004
【図３】
2005228194.tif 000005
【図４】
2005228194.tif 000006
【図５】
2005228194.tif 000007
【図６】
2005228194.tif 000008
【図７】
2005228194.tif 000009
【図８】
2005228194.tif 000010
【図９】
2005228194.tif 000011
【図１０】
2005228194.tif 000012
【図１１】
2005228194.tif 000013